(57)【要約】      （修正有）【課題】カスタマイズが容易で早く組立てられるソーラーパネルモジュールを有するソーラーパネル装置を提供する。【解決手段】ソーラーパネルモジュールは、光を受けて発電する表面及び裏面と、互いに電気的に接続する複数のソーラーユニット１０を有する少なくとも一つのソーラーパネル１００と、正極及び負極とを含む。また、正極接続箱及び負極接続箱と、正極補助接続箱及び負極補助接続箱と、正極導電バー及び負極導電バーとを更に含む。正極接続箱と負極接続箱は、裏面の一側にあり、それぞれ正極と負極に電気的に接続される。正極補助接続箱と負極補助接続箱は、裏面の一側に対向する他の側に配置される。正極導電バーは、正極接続箱と正極補助接続箱に電気的に接続される。負極導電バーは、負極接続箱と負極補助接続箱に電気的に接続される。正極接続箱と、負極接続箱と、正極補助接続箱及び負極補助接続箱には、いずれもバイパスダイオードを有さない。【選択図】図１
0003204968.tif 000002
【実用新案登録請求の範囲】
【請求項１】
光を受けて発電する第一の正面及び第一の裏面と、互いに電気的に接続される複数の第一のソーラーユニットを有する少なくとも一つの第一のソーラーパネルと、第一の正極及び第一の負極とを備える第一のソーラーパネルモジュールを含み、
前記第一のソーラーパネルモジュールは、前記第一の裏面の一側に位置し且つそれぞれ前記第一の正極と前記第一の負極に電気的に接続される第一の正極接続箱及び第一の負極接続箱と、前記第一の裏面の他の側に位置する第一の正極補助接続箱及び第一の負極補助接続箱と、前記第一の正極接続箱と前記第一の正極補助接続箱を電気的に接続する第一の正極導電バーと、前記第一の負極接続箱と前記第一の負極補助接続箱を電気的に接続する第一の負極導電バーとを更に含み、
前記他の側と前記一側は互いに対向し、
前記第一の正極接続箱と、前記第一の負極接続箱と、前記第一の正極補助接続箱と、前記第一の負極補助接続箱には、いずれもバイパスダイオードを有さないことを特徴とするソーラーパネル装置。
【請求項２】
前記複数の第一のソーラーユニットは直列で電気的に接続される請求項１に記載されるソーラーパネル装置。
【請求項３】
第一の三方向連結部及び第二の三方向連結部と、正極外部接続線及び負極外部接続線とを更に含み、前記第一の正極外部接続線は前記第一の正極接続箱と前記第一の三方向連結部の第一端を電気的に接続し、前記負極外部接続線は前記第一の負極接続箱と前記第二の三方向連結部の第一端を電気的に接続する請求項２に記載されるソーラーパネル装置。
【請求項４】
バイパスダイオードを更に含み、前記バイパスダイオードは、前記第一の三方向連結部の第二端及び前記第二の三方向連結部の第二端を電気的に接続する請求項３に記載されるソーラーパネル装置。
【請求項５】
第一の正極内部接続線と、第一の負極内部接続線とを更に含み、前記第一の正極内部接続線は、前記第一の正極補助接続箱と第二のソーラーパネルモジュールの第二の正極を電気的に接続し、前記第一の負極内部接続線は、前記第一の負極補助接続箱と第二のソーラーパネルモジュールの第二の負極を電気的に接続する請求項２に記載されるソーラーパネル装置。
【請求項６】
光を受けて発電する第ｎの表面及び第ｎの裏面と、互いに電気的に接続される複数の第ｎのソーラーユニットを有する少なくとも一つの第ｎのソーラーパネルと、第ｎの正極及び第ｎの負極とを備える第ｎのソーラーパネルモジュールを更に含み、
前記第ｎのソーラーパネルモジュールは、前記第ｎの裏面の一側に位置する第ｎの正極接続箱及び第ｎの負極接続箱と、前記第ｎの裏面の他の側に位置する第ｎの正極補助接続箱及び第ｎの負極補助接続箱と、前記第ｎの正極接続箱及び前記第ｎの正極補助接続箱を電気的に接続する第ｎの正極導電バーと、前記第ｎの負極接続箱及び前記第ｎの負極補助接続箱を電気的に接続する第ｎの負極導電バーとを更に含み、
前記他の側と前記一側は互いに対向し、
前記ソーラーパネルモジュール装置は、前記第ｎの正極補助接続箱と第（ｎ＋１）のソーラーパネルモジュールの正極を電気的に接続する第ｎの正極内部接続線と、前記第ｎの負極補助接続箱と第（ｎ＋１）のソーラーパネルモジュールの負極を電気的に接続する第ｎの負極内部接続線とを更に含み、このうち、ｎは≧２である請求項５に記載されるソーラーパネル装置。
【請求項７】
光を受けて発電する第（ｎ＋１）の表面及び第（ｎ＋１）の裏面と、互いに電気的に接続される複数の第（ｎ＋１）のソーラーユニットを有する少なくとも第（ｎ＋１）のソーラーパネルと、第（ｎ＋１）の正極及び第（ｎ＋１）の負極とを備える前記第（ｎ＋１）のソーラーパネルモジュールを更に含み、前記第（ｎ＋１）のソーラーパネルモジュールは、前記第（ｎ＋１）の裏面の一側に位置する第（ｎ＋１）の正極接続箱及び第（ｎ＋１）の負極接続箱を更に含み、
前記第（ｎ＋１）の正極と前記第（ｎ＋１）の負極はそれぞれ前記第（ｎ＋１）の正極接続箱と前記第（ｎ＋１）の負極接続箱に電気的に接続され、このうち、ｎは≧２である請求項６に記載されるソーラーパネル装置。
【請求項８】
前記第ｎと（ｎ＋１）のソーラーパネルモジュールに対応する全ての接続箱には、いずれもバイパスダイオードを有さない請求項７に記載されるソーラーパネル装置。
【請求項９】
前記第（ｎ＋１）のソーラーパネルモジュールは、前記第（ｎ＋１）の正極接続箱と前記第（ｎ＋１）の負極接続箱を含むのみであり、この以外の接続箱を有さない請求項７に記載されるソーラーパネル装置。
【請求項１０】
前記第一のソーラーパネルモジュールから前記第（ｎ＋１）のソーラーパネルモジュールの間における複数のソーラーパネルモジュールは、並列で電気的に接続される請求項９に記載されるソーラーパネル装置。
【考案の詳細な説明】
【技術分野】
【０００１】
本発明は、ソーラーパネルモジュール及び結合型のソーラーパネル装置に関する。
【背景技術】
【０００２】
通常には、より大きい発電量を達成するために、ソーラーパネルモジュールにおいて、一枚以上のソーラーパネルを含んでいる。しかし、客様によって、発電要求と設置環境が異なっているので、単一仕様のソーラーパネルモジュールは、いろんな客様からの要求に対応しにくい。この問題を解決するため、業界には簡単にカスタマイズし且つ速く組立られるソーラーパネル装置が要求される。
【考案の概要】
【考案が解決しようとする課題】
【０００３】
本発明の目的は、光を受けて発電する第一の正面及び第一の裏面と、互いに電気的に接続される複数の第一のソーラーユニットを有する少なくとも一つの第一のソーラーパネルと、第一の正極及び第一の負極とを備える第一のソーラーパネルモジュールを含み、前記第一のソーラーパネルモジュールは、前記第一の裏面の一側にあり且つそれぞれ前記第一の正極と前記第一の負極に電気的に接続される第一の正極接続箱及び第一の負極接続箱と、前記第一の裏面の他の側にある第一の正極補助接続箱及び第一の負極補助接続箱と、前記第一の正極接続箱及び前記第一の正極補助接続箱を電気的に接続する第一の正極導電バーと、前記第一の負極接続箱及び前記第一の負極補助接続箱を電気的に接続する第一の負極導電バーとを更に含み、前記他の側と前記一側は互いに対向しており、前記第一の正極接続箱と、前記第一の負極接続箱と、前記第一の正極補助接続箱と、前記第一の負極補助接続箱には、いずれもバイパスダイオードを有さないことを特徴とするソーラーパネル装置を提供する。
【課題を解決するための手段】
【０００４】
本発明の一つの実施例において、前記複数の第一のソーラーユニットは直列で電気的に接続される。
【０００５】
本発明の一つの実施例において、前記ソーラーパネルモジュール装置は、第一の三方向連結部及び第二の三方向連結部と、正極外部接続線及び負極外部接続線を更に含み、前記第一の正極外部接続線は前記第一の正極接続箱と前記第一の三方向連結部の第一端を電気的に接続し、前記負極外部接続線は前記第一の負極接続箱と前記第二の三方向連結部の第一端を電気的に接続する。
【０００６】
本発明の一つの実施例において、前記ソーラーパネルモジュール装置は、前記第一の三方向連結部の第二端と前記第二の三方向連結部の第二端を電気的にカップリングするバイパスダイオードを更に含む。
【０００７】
本発明の一つの実施例において、前記ソーラーパネルモジュール装置は、前記第一の正極補助接続箱と第二のソーラーパネルモジュールの第二の正極を電気的に接続する第一の正極内部接続線と、前記第一の負極補助接続箱と第二のソーラーパネルモジュールの第二の負極を電気的に接続する第一の負極内部接続線を更に含む。
【０００８】
本発明の一つの実施例において、前記ソーラーパネルモジュール装置は、光を受けて発電する第ｎの表面及び第ｎの裏面と、互いに電気的に接続される複数の第ｎのソーラーユニットを有する少なくとも一つの第ｎのソーラーパネルと、第ｎの正極及び第ｎの負極とを備える第ｎのソーラーパネルモジュールを更に含み、前記第ｎのソーラーパネルモジュールは、前記第ｎの裏面の一側に位置する第ｎの正極接続箱及び第ｎの負極接続箱と、前記第ｎの裏面の他の側に位置する第ｎの正極補助接続箱及び第ｎの負極補助接続箱と、前記第ｎの正極接続箱及び前記第ｎの正極補助接続箱を電気的に接続する第ｎの正極導電バーと、前記第ｎの負極接続箱及び前記第ｎの負極補助接続箱を電気的に接続する第ｎの負極導電バーとを更に備え、前記他の側と前記一側は互いに対向しており、前記ソーラーパネルモジュール装置は、前記第ｎの正極補助接続箱及び第（ｎ＋１）のソーラーパネルモジュールの正極を電気的に接続する第ｎの正極内部接続線と、前記第ｎの負極補助接続箱と第（ｎ＋１）のソーラーパネルモジュールの負極を電気的に接続する第ｎの負極内部接続線とを更に含み、このうち、ｎは≧２である
【０００９】
本発明の一つの実施例において、前記ソーラーパネルモジュール装置は、光を受けて発電する第（ｎ＋１）の表面及び第（ｎ＋１）の裏面と、互いに電気的に接続される複数の第（ｎ＋１）のソーラーユニットを有する少なくとも第（ｎ＋１）のソーラーパネルと、第（ｎ＋１）の正極及び第（ｎ＋１）の負極とを備える前記第（ｎ＋１）のソーラーパネルモジュールを更に含み、前記第（ｎ＋１）のソーラーパネルモジュールは、前記第（ｎ＋１）の裏面の一側に位置する第（ｎ＋１）の正極接続箱及び第（ｎ＋１）の負極接続箱を更に含み、前記第（ｎ＋１）の正極と前記第（ｎ＋１）の負極はそれぞれ前記第（ｎ＋１）の正極接続箱と前記第（ｎ＋１）の負極接続箱に電気的に接続され、このうち、ｎは≧２である。
【００１０】
本発明の一つの実施例において、前記第ｎと（ｎ＋１）のソーラーパネルモジュールに対応する全ての接続箱には、いずれもバイパスダイオードを有さない。
【００１１】
本発明の一つの実施例において、前記第（ｎ＋１）のソーラーパネルモジュールは、前記第（ｎ＋１）の正極接続箱と前記第（ｎ＋１）の負極接続箱を含むのみであり、この以外の接続箱を有さない。
【００１２】
本発明の一つの実施例において、前記第一のソーラーパネルモジュールから前記第（ｎ＋１）のソーラーパネルモジュールまでの間における複数のソーラーパネルモジュールは、並列で電気的に接続される。
【考案の効果】
【００１３】
本発明は、ソーラーパネル装置におけるソーラーパネルモジュールを第１から第ｎのソーラーパネルモジュール及び第（ｎ＋１）のソーラーパネルモジュールに区分し、且つこれら種類が違うソーラーパネルモジュール及びこれに対応する素子を標準化し、ｎの数値を調整することによって、ソーラーパネル装置におけるソーラーパネルモジュールの数量を容易にカスタマイズし、且つ望ましいソーラーパネル装置を速く組立ることができる。
【００１４】
本発明の上記目的、特徴と利点を明らかにして容易に理解されるため、以下は、実施例と添付図面に合わせて、詳しく説明する。添付図面における各素子はイメージのみであり、各素子の実際的な比率に従って描いていないことは注意すべき点である。
【図面の簡単な説明】
【００１５】
【図１】図１は本発明による実施例のソーラーパネルを示す図である。
【図２】図２は本発明による実施例のソーラーパネルモジュールを裏面から見た平面図である。
【図３】図３は本発明による他の実施例のソーラーパネルモジュールを裏面から見た平面図である。
【図４】図４は本発明による実施例のソーラーパネル装置を示す図である。
【考案を実施するための形態】
【００１６】
以下は本発明の好ましい実施例を説明する。本発明に記載される全ての素子、部品、構造、材料、配置等は、説明する時の順番或いは属する実施例に従わずに任意的に組み合わせて新しい実施例を形成でき、これら新しい実施例は本発明に係る範囲にも属する。
【００１７】
本発明の実施例と図面が多いので、混乱しないように、近似又は同一な素子は、同一又は近似な番号で標示され、また、図面が混雑にならないように、重なる素子は一箇所で標示されるのみ、他の所は類推する。
【００１８】
まず、図１を参照する。図１は、本発明による実施例のソーラーパネル１００を示す図である。ソーラーパネル１００は、光を受けて発電する側である表面１０１と、バックライト側である裏面１０２と、直列で互いに電気的に接続される複数のソーラーユニット（ｓｏｌａｒ ｃｅｌｌ ｕｎｉｔ）１０ａ、１０ｂ及び１０を含み、このうち、１０ａと１０ｂはソーラーパネル１００の両端に位置するユニットを代表し、１０はその間に位置するユニットを代表する。ソーラーパネル１００は、長辺と短辺を有する四角形になることが好ましく、ソーラーパネル１００の表面１０１の二つの長辺側に、表面正極配線１２１ｂと表面負極配線１１１ａがそれざれ配置され、且つ表面正極配線１２１ｂと表面負極配線１１１ａのそれぞれはソーラーパネル１００の裏面１０２まで折り返して裏面正極配線１２２ｂと裏面負極配線１１２ａになる。図１において、裏面正極配線１２２ｂと裏面負極配線１１２ａは、表面配線と区別するように破線で示される。表面正極配線１２１ｂはソーラーパネル１００の正極とし、表面負極配線１１１ａはソーラーパネル１００の負極とする。表面正極配線１２１ｂと表面負極配線１１１ａは、図１のように、ソーラーパネル１００の同一短辺の両端から後ろに折り返してもよく、或はソーラーパネル１００から異なる短辺の端部から後ろに折り返してもよい（図示しない）。配線は、例えば、銅箔（Ｃｏｐｐｅｒ  ｆｏｉｌ）或は銅テープ（Ｃｏｐｐｅｒ  ｒｉｂｂｏｎ）から構成でもよく、他の金属又は合金線材料から構成でもよい。
【００１９】
図１で示されないが、本発明における全てのソーラーパネル、例えばソーラーパネル１００は、下から上までの順に従ってバックガラスと、パターン化の下電極層と、パターン化の光電転換層と、選択的にパターン化のバッファ層及びパターン化の透明的な上電極層からなるパターン化積層構造である。下電極層と透明的な上電極層は、光電転換で発生される電流を伝導するためのものである。光電転換層は、透明的な上電極層と選択性バッファ層を透過する光を吸収して電流に転換するものであり、光電転換層は、銅（Ｃｕ）、インジウム（Ｉｎ）、ガリウム（Ｇａ）とセレン（Ｓｅ）からなる半導体材料を含んでもよく、或はＩｂ族元素である銅（Ｃｕ）又は銀（Ａｇ）と、ＩＩＩｂ族元素であるアルミニウム（Ａｌ）、ガリウム（Ｇａ）又はインジウム（Ｉｎ）と、ＶＩｂ元素である硫黄（Ｓ）、セレン（Ｓｅ）又はテルリウム（Ｔｅ）からなる化合物半導体材料を含んでもよい。透明的な上電極層は、例えば、酸化インジウムスズ（ＩＴＯ）及び／或は酸化亜鉛層（ＺｎＯ）であり、下電極層は、例えば、モリブデン（Ｍｏ）である。
【００２０】
そして、図２を参考する。図２は、本発明に係る一つの実施例によるソーラーパネルモジュール１００ｎを裏面から見た平面図である。ソーラーパネルモジュール１００ｎは、一枚のみであるソーラーパネル１００と、寸法がソーラーパネル１００よりやや大きく且つソーラーパネルの裏面１０２に位置するバックプレート１３０と、寸法がバックプレート１３０に等しく又はより小さく且つソーラーパネルの表面１０１に位置するカバー１４０、ソーラーパネル１００の外縁に位置し且つバックプレート１３０とカバーに係り合うフレーム１６０。カバー１４０は一般的にガラスパネルである。バックプレート１３０はソフトなフレキシブル層であっても、曲げられないハードパネルであってもよい。フレーム１６０は、複数のサブ構造で組み合せてなる構造であってもよく、ペースト材或はパッケージ材でカバーと、バックプレート及び／或はソーラーパネルと緊密に接合する。この以外、ソーラーパネルモジュール１００ｎは、ソーラーパネル１００の表面から裏面まで折り返す裏面正極配線１２２ｂ及び裏面負極配線１１２ａと、負極導電バー１４ｎ１及び正極導電バー１４ｎ２と、負極接続箱１５ｎ１及び正極接続箱１５ｎ２と、負極補助接続箱１５ｎ３及び正極補助接続箱１５ｎ４を更に含む。負極接続箱１５ｎ１と正極接続箱１５ｎ２は、裏面負極配線１１２ａと裏面正極配線１２２ｂに近い一側に位置し、且つこれらの線と接続している。負極補助接続箱１５ｎ３と正極補助接続箱１５ｎ４は、配線から離れる他の側に位置し、それぞれ負極導電バー１４ｎ１と正極導電バー１４ｎ２によって、負極接続箱１５ｎ１及び正極接続箱１５ｎ２に電気的に接続される。負極接続箱１５ｎ１と正極接続箱１５ｎ２は、外部装置、例えば、蓄電装置、電力消費家電等に電気的に接続できており、負極補助接続箱１５ｎ３と正極補助接続箱１５ｎ４は、次のソーラーパネルモジュールに電気的に接続できる。
【００２１】
そして、図３を参考する。図３は本発明の他の実施例によるソーラーパネルモジュール１００ｎ＊を裏面から見た平面図である。ソーラーパネルモジュール１００ｎ＊は、三枚ソーラーパネル（１００，１００'，１００）と、寸法が三枚ソーラーパネル１００より少し大きく且つソーラーパネルの裏面１０２に位置するバックプレート１３０と、寸法がバックプレート１３０に等しく又はやや小さく且つソーラーパネルの表面１０１に位置するカバー１４０と、ソーラーパネル１００の外縁に位置し且つバックプレート１３０とカバー１４０に係り合うフレーム１６０を含む。ソーラーパネル１００と１００'は実質的に同様であり、その差異は配線が引き出される位置のみである。カバー１４０、バックプレート１３０及びフレーム１６０は、図２で示されるカバー１４０、バックプレート１３０及びフレーム１６０と類似するので、別に説明しない。この以外、ソーラーパネルモジュール１００ｎ＊はソーラーパネル１００の表面から裏面まで折り返す裏面正極配線１２２ｂ及び裏面負極配線１１２ａと、ソーラーパネル１００'の表面から裏面まで折り返す裏面正極配線１２２ｂ'及び裏面負極配線１１２ａ'と、負極導電バー１４ｎ１＊及び正極導電バー１４ｎ２＊と、負極接続箱１５ｎ１＊及び正極接続箱１５ｎ２＊と、負極補助接続箱１５ｎ３＊及び正極補助接続箱１５ｎ４＊を更に含む。負極接続箱１５ｎ１＊と正極接続箱１５ｎ２＊は第一枚ソーラーパネルに位置し、負極補助接続箱１５ｎ３＊と正極補助接続箱１５ｎ４＊は最後一枚（つまり第三枚）のソーラーパネルに位置する。負極導電バー１４ｎ１＊と正極導電バー１４ｎ２＊は、負極接続箱１５ｎ１＊及び正極接続箱１５ｎ２＊と負極補助接続箱１５ｎ３＊及び正極補助接続箱１５ｎ４＊の間に位置し、且つ全てのソーラーパネル１００と１００'にわたる。正極導電バー１４ｎ２＊は、正極接続箱１５ｎ２＊と、全てのソーラーパネル１００／１００'の裏面正極配線１２２ｂ／１２２ｂ'と、正極補助接続箱１５ｎ４＊を接続する。負極導電バー１４ｎ１＊は、負極接続箱１５ｎ１＊と、全てのソーラーパネル１００／１００'の裏面負極配線１１２ａ／１１２ａ'と、負極補助接続箱１５ｎ３＊を接続する。類似的に、負極接続箱１５ｎ１＊と正極接続箱１５ｎ２＊は、外部装置、例えば蓄電装置、電力消費家電等に電気的に接続でき、負極補助接続箱１５ｎ３＊と正極補助接続箱１５ｎ４＊は、次のソーラーパネルモジュールに電気的に接続できる。
【００２２】
図３で示される実施例において、ソーラーパネルモジュールは三枚ソーラーパネルが配置されているが、本発明が開示するソーラーパネルモジュールは、三枚以上のソーラーパネル、負極接続箱と正極接続箱、負極補助接続箱と正極補助接続箱、及びそれぞれ上記両方に接続する負極導電バーと正極導電バーを含んでもよいことが理解されるべき。また、上記実施例において、接続箱はソーラーパネルの裏面に位置するが、一つ或いは複数、更に全ての接続箱がソーラーパネルの側辺或いは表面に設置されてもよいことが理解されるべき。
【００２３】
そして、図４を参照する。図４は本発明の一つの実施例に係るソーラーパネル装置１０００を示す。ソーラーパネル装置１０００は、互いに電気的に接続される少なくとも二つのソーラーパネルモジュールを含み、例えば、互いに電気的に接続される複数のソーラーパネルモジュールは、第一のソーラーパネルモジュールＭ１（図２で示されるソーラーパネルモジュール１００ｎであってもよく、或は図３で示されるソーラーパネルモジュール１００ｎ＊であってもよく、或は本発明趣旨に合わせる他のソーラーパネルモジュールであってもよい）と、選択的な第二のソーラーパネルモジュールＭ２から中継ソーラーパネルモジュールＭｎと、最後のソーラーパネルモジュールＭ（ｎ＋１）であり、このうち、ｎは整数である。図１に示されるよう、第一、中継或いは最後のソーラーパネルモジュールのいずれか一つのソーラーパネルモジュールにおけるソーラーパネルは、光を受けて発電する表面及び裏面と、互いに電気的に接続される、特に直列で電気的に接続される複数のソーラーユニットと、正極及び負極とを含む。ｎが１である時、ソーラーパネル装置１０００は第一のソーラーパネルモジュールＭ１及び第二のソーラーパネルモジュールＭ２を有するのみであり、中継ソーラーパネルを一つも有さない。しかし、ｎが１以上、例えば、２、３、４などである時、ソーラーパネル装置１０００は、第一のソーラーパネルモジュールＭ１と最後のソーラーパネルモジュールＭ（ｎ＋１）を有する以外、少なくとも一とつの中継ソーラーパネルモジュールＭｎをさらに有する。ｎがどのような数値であっても、全ての状況で、第一のソーラーパネルモジュールＭ１にある素子はいずれも同じでる。類似的に、全ての状況で、最後のソーラーパネルモジュールはいずれも同じでる。ｎが１以上の場合であれば、ｎがどのような数値であっても、中継ソーラーパネルモジュールはいずれも同じである。例えば、お客様が八つのソーラーパネルモジュールを有するソーラーパネル装置を要求したら、第一のソーラーパネルモジュールと、六つの同じ中継ソーラーパネルモジュール及び最後のソーラーパネルモジュールを組合せば、お客様からの要求に対応できる。この以外、ソーラーパネルモジュールに対応する素子は、臨時的な要求に対応するため、先にサブモジュール（ｓｕｂ−ｍｏｄｕｌｅ）になるように組み立てもよい。このことにより、組み立てる速度を更に向上できる。第一のソーラーパネルモジュールと第ｎのソーラーパネルモジュールは同じモジュールであってもよいことが理解されるべき、例えば、本願において、図２又は図３で示されるモジュールのそれぞれは、第一のソーラーパネルモジュールを外部に接続させる特性による装置に分類される。
【００２４】
ソーラーパネルモジュール装置１０００の第一のソーラーパネルモジュールＭ１は、前記第一の裏面の一側に位置する第一の正極接続箱１５１２及び第一の負極接続箱１５１１と、前記第一の裏面の他の側に位置する第一の正極補助接続箱１５１４及び第一の負極補助接続箱１５１３と、前記第一の正極接続箱１５１２と前記第一の正極補助接続箱１５１４を電気的に接続する第一の正極導電バー１４１２と、前記第一の負極接続箱１５１１と前記第一の負極補助接続箱１５１３を電気的に接続する第一の負極導電バー１４１１を含んでもよく、このうち、前記他の側と前記一側が互いに対向する。前記第一の正極導電バー１４１２と前記第一の負極導電バー１４１１は、例えば、いずれもメインラインである。前記第一の正極接続箱１５１２と前記第一の負極接続箱１５１１のそれぞれは、前記第一のソーラーパネルモジュールＭ１の第一の正極と第一の負極（図示しない）に電気的に接続される。前記第一の正極接続箱１５１２、前記第一の負極接続箱１５１１、前記第一の正極補助接続箱１５１４及び前記第一の負極補助接続箱１５１３には、いずれもバイパスダイオードを有さない。ソーラーパネルモジュール装置１０００は、第一のソーラーパネルモジュールＭ１において、第一のソーラーパネルモジュールＭ１と第二のソーラーパネルモジュールＭ２を電気的に接続するための第一の正極内部接続線（番号なし）と第一の負極内部接続線（番号なし）を更に含んでもよい。具体的には、前記第一の正極内部接続線は、第一のソーラーパネルモジュールＭ１の第一の正極補助接続箱１５１４と第二のソーラーパネルモジュールＭ２の第二の正極を電気的に接続し、例えば、第二のソーラーパネルモジュールＭ２の第二の正極接続箱１５２２を介しており、前記第一の負極内部接続線は、前記第一の負極補助接続箱１５１３と第二のソーラーパネルモジュールＭ２の第二の負極を電気的に接続し、例えば、第二のソーラーパネルモジュールＭ２の第二の負極接続箱１５２１を介する。図２において、第一の正極内部接続線と第一の負極内部接続線のそれぞれは単線で描いて表現されるが、内部接続線ごとには、二つ或いはこれ以上の接続線を含んでもよいことが理解されるべき、例えば、一つの内部接続線は、第一のソーラーパネルモジュールＭ１における第一の正極補助接続箱１５１４から延び出す、オス連結部を有する接続線及び第二のソーラーパネルモジュールＭ２における第一の正極接続箱１５２２から延び出す、メス連結部を有する接続線を含んで、且つ二つの接続線のオス連結部とメス連結部が互いに接続されている。
【００２５】
ソーラーパネルモジュール装置１０００は第二のソーラーパネルモジュールＭ２から中継ソーラーパネルモジュールＭｎの一つ又は複数を備える場合に、全ての中継ソーラーパネルモジュールが同様であるため、第二のソーラーパネルモジュールＭ２を例とする。数字２を数字ｎに替わると、中継ソーラーパネルモジュールＭｎにある素子が得られ、以下は別に括弧で示される。ソーラーパネルモジュール装置１０００の第二のソーラーパネルモジュールＭ２は、前記第二の裏面の一側に位置する第二の正極接続箱１５２２（１５ｎ２）及び第二の負極接続箱１５２１（１５ｎ１）と、前記第二の裏面（第ｎの裏面）の他の側に位置する第二の正極補助接続箱１５２４（１５ｎ４）及び第二の負極補助接続箱１５２３（１５ｎ３）と、前記第二の正極接続箱１５２２（１５ｎ２）と前記第二の正極補助接続箱１５２４（１５ｎ４）を電気的に接続する第二の正極導電バー１４２２（１４ｎ２）と、前記第二の負極接続箱１５２１（１５ｎ１）と前記第二の負極補助接続箱１５２３（１５ｎ３）を電気的に接続する第二の負極導電バー１４２１（１４ｎ１）とを含み、このうち、前記他の側と前記一側は互いに対向する。前記第二の正極導電バー１４２２（１４ｎ２）と前記第二の負極導電バー１４２１（１４ｎ１）は、例えば、いずれもメインラインである。前記第二の正極接続箱１５２２（１５ｎ２）と前記第二の負極接続箱１５２１（１５ｎ１）のそれぞれは、前記第二のソーラーパネルモジュールＭ２（第ｎのソーラーパネル）の第二の正極（第ｎの正極）と第二の負極（第ｎの負極）に電気的に接続される。ソーラーパネルモジュール装置１０００は、第二のソーラーパネルモジュールＭ２（Ｍｎ）において、第二のソーラーパネルモジュールＭ２（Ｍｎ）と第三のソーラーパネルモジュールＭ３（Ｍ（ｎ＋１））を電気的に接続する第二の正極内部接続線（番号なし）（第ｎの正極内部接続線）及び第二の負極内部接続線（番号なし）（第ｎの負極内部接続線）を更に含んでもよく、具体的には、前記第一の正極内部接続線（第ｎの正極内部接続線）は、第二のソーラーパネルモジュールＭ２（Ｍｎ）の第二の正極補助接続箱１５２４（１５ｎ４）と第三のソーラーパネルモジュールＭ３（Ｍ（ｎ＋１））の第三の正極（第（ｎ＋１）の正極）を電気的に接続し、例えば第三のソーラーパネルモジュールＭ３（Ｍ（ｎ＋１））の第三の正極接続箱１５３２（第（ｎ＋１）の正極接続箱１５（ｎ＋１）２）を介しており、前記第二の負極内部接続線（第ｎの負極内部接続線）は、前記第二の負極補助接続箱１５２３（１５ｎ３）と第三のソーラーパネルモジュールＭ３（Ｍ（ｎ＋１））の第三の負極（第（ｎ＋１）の負極）を電気的に接続し、例えば、第三のソーラーパネルモジュールＭ３（Ｍ（ｎ＋１））の第三の負極接続箱１５３１（第（ｎ＋１）の負極接続箱１５（ｎ＋１）１）を介する。前記正極外部接続線と前記負極外部接続線は、前記第一の正極内部接続線と前記第一の負極内部接続線に類似し、図２において単線で描いて示されるが、二つ或いはこれ以上のオスまたはメス連結部を有する接続線であってもよい。
【００２６】
ソーラーパネルモジュール装置１０００は、最後のソーラーパネルモジュールＭ（ｎ＋１）を更に含み、ｎ＝２の場合を例とすれば、最後のソーラーパネルモジュールＭ（ｎ＋１）は第三のソーラーパネルモジュールＭ３であり、数字２を数字ｎに替わると、最後のソーラーパネルモジュールＭ（ｎ＋１）にある素子が得られ、以下この素子は別に括弧で示される。ソーラーパネルモジュール装置１０００における最後のソーラーパネルモジュールＭ３（Ｍ（ｎ＋１））は、前記第三の裏面（第（ｎ＋１）の裏面）側に位置する第三の正極接続箱１５３２（１５（ｎ＋１）２）と第三の負極接続箱１５３１（１５（ｎ＋１）１）を含んでもよい。前記第三の正極接続箱１５３２（１５（ｎ＋１）２）と前記第三の負極接続箱１５３１（１５（ｎ＋１）１）のそれぞれは、前記第三のソーラーパネルモジュールＭ３（Ｍ（ｎ＋１））の第三の正極（第ｎの＋１正極）及び第三の負極（第ｎの＋１負極）に電気的に接続される。前記第三のソーラーパネルモジュールＭ３（Ｐｎ＋１）には、前記第三の正極接続箱１５３２（１５（ｎ＋１）２）と前記第三の負極接続箱１５３１（１５（ｎ＋１）１）以外、対応する他の接続箱を有さない。
【００２７】
上記ソーラーパネル及び各ソーラーパネルにおける素子以外、ソーラーパネルモジュールの信頼性を向上するため、ソーラーパネルモジュール装置１０００は、更に第一の三方向連結部Ｔ１と、第二の三方向連結部Ｔ２と、第一のソーラーパネルモジュールＭ１の第一の正極接続箱１５１２と前記第一の三方向連結部Ｔ１の第一端を電気的に接続する正極外部接続線（番号なし）と、第一のソーラーパネルモジュールＭ１の第一の負極接続箱１５１１と前記第二の三方向連結部Ｔ２の第一端を電気的に接続する負極外部接続線（番号なし）と、前記第一の三方向連結部Ｔ１の第二端と前記第二の三方向連結部Ｔ２の第二端を電気的にカップリングして直接に接続させるバイパスダイオードＢＤとを選択的に含んでもよい。前記第一の三方向連結部Ｔ１の第三端と前記第二の三方向連結部Ｔ２の第三端は外部装置Ｅｘ、例えば蓄電装置、電力消費家電等に接続される。前記正極外部接続線と前記負極外部接続線は、前記第一の正極内部接続線と前記第一の負極内部接続線に類似し、図２において単線で描いて示されるが、二つ或いはこれ以上の、オスまたはメス連結部を有する接続線を含んでもよい。バイパスダイオードＢＤは直接に三方向連結部の端部と接続でき、或いは選択的にある接続箱に置けられ、その目的は、ソーラーパネル（中のソーラーユニット）が光を受けることによって均一せず局所に過熱して更に潰れることを避けることである。第一のソーラーパネルの外部にバイパスダイオードＢＤが設置される以外、必要に応じて、部分或いは全ての中継ソーラーパネル、例えば、その接続箱において、エクストラなバイパスダイオードが設置されてもよい。
【００２８】
図４の実施例において、前記第一のソーラーパネルモジュールから前記第（ｎ＋１）のソーラーパネルモジュールの間にある複数のソーラーパネルモジュールは並列で電気的に接続される。しかし、本発明は上記に限られず、直列で電気的に接続される必要があると、ソーラーパネルモジュールにおける各素子（つまり各種の接続箱、接続線、導電バー等である）及び／或ソーラーパネルモジュールの配向（正極と負極が引き出される位置、上記素子が配置される位置等）を変更してもよく、更に直列で複数のソーラーパネルモジュールを電気的に接続してもよいことが理解されるべき。また、本発明に係る接続線は、電気的にカップリングする功能を有すれば、特定な仕様或いは形態に限られず、例えば、ＭＣ４仕様に符合する防水接続線であってもよい。
【００２９】
上記実施例は便宜に説明するように例を挙げるものであるが、この分野において通常の知識を有する者が任意的に変更しても、本願請求項で保護される範囲に超えない。
【符号の説明】
【００３０】
１０              ソーラーユニット
１０ａ            ソーラーユニット
１０ｂ            ソーラーユニット
１００            ソーラーパネル
１００'          ソーラーパネル
１００ｎ          ソーラーパネルモジュール
１００ｎ＊      ソーラーパネルモジュール
１０１            表面
１０２            裏面
１１１ａ          表面負極配線
１１２ａ          裏面負極配線
１１２ａ'        裏面負極配線
１２１ｂ          表面正極配線
１２２ｂ          裏面正極配線
１２２ｂ'        裏面正極配線
１３０            バックプレート
１４０            カバー
１６０            フレーム
１４ｎ１          負極導電バー
１４ｎ１＊        負極導電バー
１４ｎ２          正極導電バー
１４ｎ２＊          正極導電バー
１４１１            第一の負極導電バー
１４１２            第一の正極導電バー
１４２１            第二の負極導電バー
１４２２            第二の正極導電バー
１５ｎ１          負極接続箱
１５ｎ１＊          負極接続箱
１５（ｎ＋１）１    第（ｎ＋１）の負極接続箱
１５ｎ２          正極接続箱
１５ｎ２＊          正極接続箱
１５（ｎ＋１）２    第（ｎ＋１）の正極接続箱
１５ｎ３          負極補助接続箱
１５ｎ３＊          負極補助接続箱
１５ｎ４          正極補助接続箱
１５ｎ４＊          正極補助接続箱
１５１１            第一の負極接続箱
１５１２            第一の正極接続箱
１５１３            第一の負極補助接続箱
１５１４            第一の正極補助接続箱
１５２１            第二の負極接続箱
１５２２            第二の正極接続箱
１５２３            第二の負極補助接続箱
１５２４            第二の正極補助接続箱
１５３１            第三の負極接続箱
１５３２            第三の正極接続箱
１０００            ソーラーパネル装置
Ｍ１                第一のソーラーパネルモジュール
Ｍ２                第二のソーラーパネルモジュール
Ｍ３                第三のソーラーパネルモジュール
Ｍｎ                中継ソーラーパネルモジュール
Ｍ（ｎ＋１）        最後のソーラーパネルモジュール
Ｔ１                第一の三方向連結部
Ｔ２                第二の三方向連結部
ＢＤ                バイパスダイオード
Ｅｘ                外部装置
【図１】
0003204968.tif 000003
【図２】
0003204968.tif 000004
【図３】
0003204968.tif 000005
【図４】
0003204968.tif 000006